(57)【要約】  この表示装置１０は、信号処理器２０と、照射源４０と、ユーザ観察のために一連の画像を発生するよう照射源４０により発生される光を光学的に変調する画素アレイ５０とを含む。照射源４０は、光を発生し、互いに独立して制御可能な光放射を呈する個別にアドレス指定可能な複数のセグメントｓ１〜ｓｎ，ｓ１，１〜ｓｐ，ｑを有する。信号処理器２０は、入力信号ｖｉを処理して、入力信号ｖｉに対応する一連の画像を表示するよう照射源４０及び画素アレイ５０を駆動する。照射源４０のセグメントｓ１〜ｓｎ，ｓ１，１〜ｓｐ，ｑは、入力信号ｖｉの対応部分において生じる動きの程度に応じて信号処理器２０により動作において励起される。
2008517318.tif 000002
【特許請求の範囲】
【請求項１】
（ａ）光を発生し相互に独立して制御可能な光放射を呈する個別にアドレス指定可能な複数のセグメントを有する照射源と、
（ｂ）ユーザ観察のための一連の画像を発生するよう前記照射源により発生された光を光学的に変調する画素アレイと、
（ｃ）入力信号を処理して前記入力信号に対応する一連の画像を表示するように前記照射源及び前記画素アレイを駆動する信号処理器と、
を有し、前記照射源のセグメントは、動作において前記入力信号の対応する部分において生じる動きの程度に応じて前記信号処理器により励起される、
表示装置。
【請求項２】
請求項１に記載の表示装置であって、前記信号処理器は、前記入力信号の対応する部分が所定値を超える動きの程度を含むときに点滅の態様で前記セグメントの１つ又は複数を励起するように動作可能である、装置。
【請求項３】
請求項２に記載の表示装置であって、前記信号処理器は、前記入力信号の対応する部分が前記所定値を下回る動きの程度を含む場合に連続した非点滅の態様及び／又は高周波でストローブされる態様で前記セグメントの１つ又は複数を励起するように動作可能である、装置。
【請求項４】
請求項２に記載の表示装置であって、前記点滅の態様で励起される１つ又は複数のセグメントにより発生される光は、発生される照射光が、非点滅の連続した態様及び／又は高周波数でストローブされる態様で励起される前記照射源のセグメントと平均的に略同一のレベルとなるように照射ピークを増大させられる、装置。
【請求項５】
請求項２に記載の表示装置であって、点滅の態様により励起される１つ又は複数のセグメントは、前記画素アレイの対応する領域のリフレッシュの直前の時点を含む期間において励起される、装置。
【請求項６】
請求項１に記載の表示装置であって、前記照射源のセグメントは、一連の行又は列に配される、装置。
【請求項７】
請求項１に記載の表示装置であって、前記照射源のセグメントは、２次元マトリクスに配される、装置。
【請求項８】
請求項１に記載の表示装置であって、前記画素アレイは、前記照射源により発生される照射光を透過するように動作可能な液晶画素アレイ装置として実現される、装置。
【請求項９】
入力信号を処理して、その入力信号に対応する一連の画像を表示するように照射源及び画素アレイを駆動するようにした信号処理器であって、前記入力信号の対応する部分に生じる動きの程度に応じて前記照射源の１つ又は複数のセグメントを励起するように動作可能な処理器。
【請求項１０】
表示装置に入力信号により伝送される一連の画像を表示する方法であって、前記表示装置は、
（ａ）光を発生し、互いに独立して制御可能な光放射を呈する個別にアドレス指定可能な複数のセグメントを有する照射源と、
（ｂ）ユーザ観察のために一連の画像を発生するよう前記照射源により発生された光を光学的に変調する画素アレイと、
を含み、
・入力信号を処理して、前記セグメントに対応する前記入力信号の部分において発生する動きの程度を検出するステップと、
・前記入力信号に対応する一連の画像を表示するように前記照射源及び前記画素アレイを駆動するステップと、
を含み、前記照射源のセグメントは、動きの程度に応じて励起される、方法。
【発明の詳細な説明】
【技術分野】
【０００１】
本発明は、照射源及び画素アレイを含む表示装置に関する。本発明はまた、このような表示装置を動作する方法に関する。
【背景技術】
【０００２】
画像信号を受信しユーザの観察のために対応する画像を発生するように動作可能な画像表示装置が知られている。現在、このような表示装置を実現するために商業的に利用可能な幾つかの表示技術があり、例えば、陰極線管（ＣＲＴ）、プラズマパネルディスプレイ（ＰＤＰ）、有機発光ダイオードディスプレイ（Ｏ−ＬＥＤ）、ポリマ発光ダイオードディスプレイ（Ｐｏｌｙ−ＬＥＤ）及び液晶ディスプレイ（ＬＣＤ）がある。Ｏ−ＬＥＤ及びＰｏｌｙ−ＬＥＤディスプレイの画素は、迅速な応答性の蛍光体を用いて実現されるときのＣＲＴと同様に、供給される電気信号により活性化されるとほぼ瞬時に応答するのに対し、ＬＣＤ画素は、このような電気的励起に対して比較的長い応答時定数を呈するものであり、例えば、印加される電界に応答してＬＣＤの光学活性分子がツイスト状態及び非ツイスト状態になるのに数ミリ秒が必要である。ＬＣＤのこの比較的に長い応答時定数は、動画化される時系列の画像をユーザにぼけた形でこのようなＬＣＤに提示させてしまうという既知の問題である。
【０００３】
比較的緩慢なＬＣＤ応答性の問題は、従来より知られており、種々のソリューションが提案されている。例えば、ラップトップ型パーソナルコンピュータ、携帯電話機、ＬＣＤテレビなどの現代の多くの製品に利用されているような多くのＬＣＤは、アクティブＬＣＤ画素部のマトリクスにより後に空間的に選択的にフィルタ処理される照射源を提供する背面照射を使っている。ＬＣＤ画素の光透過状態が安定したときに限って当該ＬＣＤ画素を照射するように当該背面照射の様々なタイプの変調を使い、これによりその画素を見るユーザに対して本質的な見掛け上のぼけを減らすようにすることは知られている。
【０００４】
例えば、国際特許出願に係る文献のＷＯ２００４／０４４８７８は、ＬＣＤ画素アレイ投射ディスプレイにおけるＬＣＤ画素応答遅延による本質的な動きのぼけを減らすように掃引されるＬＣＤ背面照射を使用することを説明している。他の例として、公開された国際特許出願に係る文献のＷＯ０３／１０１０８６は、ＬＣＤにおけるＬＣＤ画素応答遅延による動きぼけを減らすようにＬＣＤ背面照射に対する励起のデューティサイクルを変化させることを説明している。
【０００５】
ＬＣＤ背面照射の空間的掃引変調は、機械的光ビーム走査構成又はＬＣＤ背面照射ユニットの対応の関連セグメントを活性化するための高速応答性の複数のインバータを用いるので実現するのに複雑であるのに対して、可変デューティサイクル背面照射変調は、動きの期間における縮小されたパルス幅変調（ＰＷＭ）励起によりＬＣＤ輝度の低下をもたらす可能性があり、ユーザ又は観察者を疲れさせうる全体の表示フリッカを引き起こす可能性がある。
【０００６】
したがって、ＬＣＤぼけ現象に対するこうした現在の既知のソリューションは、最適なものではなく、ＬＣＤディスプレイのコスト及び／又は複雑さを増大させてしまうものである。よって本発明者らは、背面照射型のＬＣＤ及び比較的に長い画素応答時間につき励起する同様のタイプの表示テクノロジに伴うこうした現在の問題に対処するよう本発明を考案したである。
【発明の開示】
【発明が解決しようとする課題】
【０００７】
本発明の目的は、動画が表示されるときに用いる場合にあまり目立たないぼやけで済む表示装置を提供することである。
【課題を解決するための手段】
【０００８】
本発明の一態様によれば、
（ａ）光を発生し相互に独立して制御可能な光放射を呈する個別にアドレス指定可能な複数のセグメントを有する照射源と、
（ｂ）ユーザ観察のための一連の画像を発生するよう前記照射源により発生された光を光学的に変調する画素アレイと、
（ｃ）入力信号を処理して前記入力信号に対応する一連の画像を表示するように前記照射源及び前記画素アレイを駆動する信号処理器と、
を有し、前記照射源のセグメントは、動作において前記入力信号の対応する部分において生じる動きの程度に応じて前記信号処理器により励起される、
表示装置が提供される。
【０００９】
入力信号の対応する部分が意味するところは、照射源の対応するセグメントから光を受光する画素アレイの領域において表示されている画像の領域に対応する入力信号の部分である。入力信号の対応する部分における動きの程度に応じてセグメントを励起することにより、表示装置は、例えば、点滅する態様で動きが検出される部分に対応するセグメントを励起することにより、ぼやけを減らすことができるとともに、入力信号の静止部分は、当該セグメントが連続的に励起されるようにすることができる。したがって、本発明は、表示装置が、動作のときにあまり目立たない画像ぼやけしか呈しないものとすることができるという有利さがある。
【００１０】
本発明は、独立請求項により規定される。従属請求項は、有利な実施例を規定する。
【００１１】
オプションとして、当該表示装置において、信号処理器は、当該画素アレイの対応する領域において表示される画像が画像ぼやけとして知覚され易い相当な動きを含んでいるときに、点滅の態様で照射源のセグメントの１つ又は複数を励起するように動作可能である。点滅の態様での励起は、この動きぼやけを減らすが、当該点滅は、表示される画像の或る程度相当なフリッカを招きうるものである。画素アレイの選択される領域に対する点滅照射の使用は、画素アレイにおいて視認される動きぼやけを減らすとともに、画素アレイの他の領域が連続的に照射されることを可能にすることによりフリッカを最小化しこれによりフリッカの無い体裁とすることができるという組み合わせの効果を奏することができる。
【００１２】
オプションとして、当該表示装置において、信号処理器は、連続的な非点滅の態様及び／又は高周波数でストローブされる態様で照射源のセグメントの１つ又は複数を励起するように動作可能であり、これにより、当該画素アレイの対応する領域に表示される画像がユーザの知覚可能なぼやけを生じさせる大分足りない速さの動きを含むときにフリッカが実質的に識別不能なものとなる。
【００１３】
当該信号処理器は、当該入力信号の対応する部分が、所定の値を超える程度の動きを含むときには点滅の態様で当該セグメントの１つ又は複数を励起するよう動作可能であるものとすることができる。
【００１４】
さらなるオプションとしては、当該表示装置において、前記点滅の態様で励起される１つ又は複数のセグメントにより発生される照射光は、発生される照射光が、非点滅の連続した態様及び／又は高周波数でストローブされる態様で励起される前記照射源のセグメントと平均的に匹敵するレベルとなるように照射ピークを増大させられる。点滅照射を使い、さらに平均的にはその照射が連続照射に知覚的に匹敵するように補償することによって、本発明により提供される動きぼやけマスキングをユーザに対してあまり目立たないものとする。
【００１５】
他のオプションとして、当該表示装置において、点滅の態様により励起される１つ又は複数のセグメントは、前記画素アレイの対応する領域のリフレッシュの直前を含む期間において励起される。アレイ画素が光学的に安定したときに生じるように点滅を行うことにより、明確な動きぼやけを減らすことを助長する。
【００１６】
オプションとして、当該表示装置において、前記照射源のセグメントは、一連の行又は列に配される。或いは、当該表示装置において、照射源のセグメントは、２次元マトリクスに配されるのが好ましい。
【００１７】
オプションとして、当該表示装置において、信号処理器は、照射源の１つ又は複数のセグメントを制御するために、その動きの程度を判定するために入力信号により伝送される連続的画像の列を分析するための分析器を含む。
【００１８】
オプションとして、当該表示装置において、前記画素アレイは、前記照射源により発生される照射光を透過するように動作可能な液晶画素アレイ装置として実現される。
【００１９】
オプションとして、当該表示装置において、当該セグメントの１つ又は複数から発せられる照射光は減らされ、当該表示装置により動作において呈される黒レベルレンディションを増大させるよう、画素アレイの１つ又は複数の対応する領域の透過が増大させられる。明確な動きぼやけを減らすこととは別に、本発明は、増大された色コントラストを奏することもできる。
【００２０】
オプションとして、当該表示装置において、照射源及び画素アレイは、互いに比較的接近して重なるものとされる。「比較的接近して」は、ここでは、当該照射源及び画素アレイが、照射のために、当該画素アレイの対応領域と照射装置の与えられたセグメントとの対応があるように十分近くに位置づけられることを示すものとして使われている。
【００２１】
本発明のこれら態様及びその他の態様は、以下に説明する実施例に基づいて詳しく説明する。
【００２２】
以下、本発明の実施例を添付図面を参照して専ら例証として説明する。
【発明を実施するための最良の形態】
【００２３】
図１には、本発明による液晶ディスプレイが示されており、このディスプレイは、「１０」により包括的に示されている。ディスプレイ１０は、表示ユニット３０に結合される電子表示ドライバユニット２０を有する。表示ユニット３０は、一体的に形成される関連の薄膜トランジスタ（ＴＦＴ）アドレスデコード回路を含む液晶画素アレイ５０に比較的接近して取り付けられたパネル背面照射装置４０を有する。画素アレイ５０は、背面照射装置４０と「６０」により示される観察者又はユーザとの間にラインオブサイト（line-of-site）で介在させられる。
【００２４】
表示ドライバユニット２０は、表示ユニット３０により観察者又はユーザ６０に表示されるべき入力信号ｖｉを受信するための入力データバッファ７０を含む。バッファ７０の出力は、画素アレイ５０のＴＦＴに画素駆動信号を適切に分配するための表示ドライバ８０に接続されている。バッファ７０はまた、背面照射ドライバユニット１００を介して背面照射装置４０に結合される出力を有する動き分析器９０に結合される。
【００２５】
ディスプレイ１０の動作は、概略的に簡単に説明する。データバッファ７０は、入力信号ｖｉを受信し、それをバッファ７０のメモリにディジタルデータとして画像単位で記憶する。さらに、バッファ７０は、このデータを、図４に描かれているようなリフレッシュサイクルに応じてフレーム単位でデータを出力するドライバユニット８０に転送するために適切な形態にフォーマット化する。当該リフレッシュサイクルは、画素アレイ５０の行を更新し、或いは画素アレイ５０の構成によっては列が更新される。
【００２６】
動き分析器９０はまた、データバッファ７０からのバッファ処理された入力データを受信し、画素アレイ５０を介してユーザ又は観察者６０に示すべき画像内の動きの領域を判定するように、現画像及び１つ又は複数の対応する前の画像に対して順次動き分析を施す。例えばベクトル処理によってこのような動き分析を行った後、分析器９０は、背面照射装置４０の各セグメントｓ１からｓｎに施すべき駆動波形の形態を選択的に制御するよう動作可能である。この点については、後で詳細に説明する。したがって、背面照射装置４０のセグメントｓ１ないしｓｎのうちの１つからもたらされる照射光２００は、入力信号ｖｉの対応する部分において起きる動きの程度に応じて変調される。この動きの程度は、当該ビデオ信号の対応する部分において生じる、分析器９０における動きベクトル分析から判定可能である。対応する部分が意味するところは、背面照射装置４０の対応するセグメントｓｉの光を受光する、画素アレイの領域に表示されている画像の領域Ａ１からＡｎ（図３参照）のうちの１つに対応する入力信号ｖｉの部分である。
【００２７】
背面照射装置４０は、そのセグメントｓ１からｓｎに関して、図２ａ及び図２ｂに描かれているように実現されるのが好ましい。これらセグメントが図２ａにおけるが如くストライプとして実現されるときには、そのストライプは、画素が更新されるところの列（シーケンス）に対応する方向に表示ユニット３０に配されるのが好ましい。例えば、画素アレイ５０が画素アレイ５０の上からその下まで行ごとに更新されるときには、背面照射装置４０は、そのストライプの各々の長手軸が画素アレイ５０の対応する行に略平行となるように画素アレイ５０に対して方向づけられるのが好ましい。ストライプ、すなわちセグメントｓ１からｓｎの１次元アレイの代わりとして、セグメントｓ１からｓｎは、複数次元のアレイ、すなわち図２ｂに描かれているような２次元アレイとして実現することができる。図２ｂには、ｐ列ｑ行のセグメントｓ１１からｓｐｑが示される。本発明の一実施例では、８つのセグメントにグループ化される１６個のランプが設けられている（図２ａ参照）。これら８つのセグメントは、分析器９０からの８つの制御信号により制御される。画素液晶表示のための標準的な現在の背面照射ユニットは、それらの照射源が例えば行毎に水平に配されるように実現されるのが普通である。
【００２８】
分析器９０は、図３に示されるような形態で動作するように構成される。画素アレイ５０に表示すべき画像の領域Ａ１ないしＡｎは、ステップ３１０によって示されるようにバッファ７０に記憶される。これら領域Ａ１ないしＡｎは、その後ステップ３２０において、１つ又は複数の先行画像について分析器９０において分析されて、それに基づいて、対応する領域Ａ１ないしＡｎの各々につき動きベクトルΣ｜Ｍν１｜，Σ｜Ｍν２｜，Σ｜Ｍν３｜，Σ｜Ｍν４｜，Σ｜Ｍνν｜の合計を判定する。動きベクトルの原理は知られており、ここではこれ以上詳述する必要はない。新しいのは、領域毎の動きベクトルの合計を判定することである。ステップ３３０では、分析器９０は、図２ａにおけるが如く背面照射装置４０が実現される場合にはセグメントｓ１ないしｓｎに適した駆動信号、或いは図２ｂにおけるが如く背面照射装置４０が実現される場合にはセグメントｓ１，１ないしｓｐ，ｑに適した駆動信号を定める。例えば、或る領域における動きベクトルの合計が所定値を超えている場合、この領域に対する信号は、点滅モードにおいて背面照射装置４０の対応するセグメントｓｉを動作させるように適応させられる。或いは、視認可能なフリッカのリスクを減らすため、点滅モードで駆動される領域の数を所定数に制限するようにしてもよい。この場合、ステップ３３０では、動きベクトルの最も大きな合計を有する領域Ａ１ないしＡｎが選ばれる。
【００２９】
ステップ３４０において、駆動ユニット１００は、セグメントｓ１ないしｓｎに関連したランプＬｓ１ないしＬｓｎを駆動するよう動作可能であり、同様に、図２ｂの構成が使われる場合にはセグメントｓ１，１ないしｓｐ，ｑのランプを駆動するよう駆動ユニット１００から信号が出力される。
【００３０】
動作において、分析器９０及びその関連の駆動ユニット１００は、セグメントｓ１ないしｓｎが照射されるときの時間及び照射されるときのセグメントｓ１ないしｓｎの輝度を制御する。第１の状況において、これらセグメントｓ１ないしｓｎの第１のサブセット内で比較的小さな動きが生じたときには、この第１のサブセットのランプは、この第１のサブセットをほぼ連続して照射しており、或いは、当該ランプは、比較的高い周波数でストローブされ、こうした状況ではフリッカはユーザから識別されないものとなる。第２の状況では、セグメントｓ１ないしｓｎの第２のサブセット内で大きな動きが生じる場合、分析器９０は、画素アレイ５０の対応する画素部が状態切換をなし安定したときに、第２のサブセットの関連ランプに対して駆動ユニット１００を介してストローブ駆動信号を出力してこれらランプがこの第２のサブセットをストロボ照射するようにしている。かかるストローブ駆動は、第２のサブセットに対応する画素の平均的な知覚される強度が、それらがどのように現われるものとなるかについて強度の面で実質的に異なるようには現われないように比較的高いピーク強度でこれらのランプを駆動するように構成されるのが好ましい。
【００３１】
背面照射装置４０のセグメントｓ１ないしｓｎの動作を制御することへのこの選択的アプローチは、駆動ユニット１００が、比較的小さな画像動きが生じるときに、連続的に及び／又は高周波数ストローブ態様にて背面照射装置４０のセグメントを駆動することができる点で有利である。駆動ユニット１００は、かかる連続的な態様で動作するときに少ないピーク電流サージで済むスイッチモード電源を用いて実現される。さらに、電流サージが減ると、例えばビデオ回路からオーディオ回路への干渉及びクロストークを減らすことも可能になる。
【００３２】
ディスプレイ１０の動作を、図４を参照してさらに詳しく説明する。図４には、「４００」により示されるグラフが示されており、時間Ｔを示す横座標軸４１０と背面照射装置４０のセグメントｓ１ないしｓｎを示す縦座標軸４２０とを有している。軸４１０は、時間ＴＦが画素アレイ５０のフレーム更新期間を示すような画素アレイ５０のリフレッシュサイクルの時間を示している。画素アレイ５０の画素は、画素アレイ５０を下へ掃引する態様で更新され、この態様は、グラフ４００における対角線の軸４３０により表される。軸４３０の下の陰影の付された領域ＰＫＴ（Ｎ）は、現画像番号Ｎに対応しており、軸４３０の上の陰影の付されていない領域ＰＫＴ（Ｎ＋１）は、画素アレイ５０のＴＦＴ回路に書き込まれる新しいフレームに対応している。セグメントｓ１及びｓｎ−１では、アレイ５０の関連画素において生じる比較的小さな動きがあるので、これらセグメントｓ１ないしｓｎ−１は、前述において明らかなように、連続的に及び／又は高周波数でのストローブ動作で照射される。このような連続的及び／又は高周波数ストローブ動作は、便宜上「非点滅」と呼ぶ。但し、セグメントｓ２，ｓ３，ｓｎ−２，ｓｎでは、これらに関連した画素に相当な動きがあり、これらセグメントｓ２，ｓ３，ｓｎ−２，ｓｎは、横に延びた部分４４０，４５０，４６０，４７０によりそれぞれ示されるように前述したようにパルスモードで励起される。このパルスモードの動作は、便宜上「点滅」と呼ぶ。横に延びた部分４４０，４５０，４６０，４７０の幅は、点滅パルスの持続期間を示す。パルス照射光は、これらの対応する画素が更新後に動作が光学的に安定したときに、これらセグメントｓ２，ｓ３，ｓｎ−２，ｓｎに当てられる。画素アレイ５０の色々な領域がそこに現われる時間的に変化する画像を有すると、例えば横に延びた部分４４０，４５０，４６０，４７０により示されるパルス期間の発生は、与えられたセグメントｓ１ないしｓｎからその他のものにダイナミックに変化することになる。好ましくは、このパルス照射は、対応する領域における画素が更新される期間の直前の時間期間においてかけられるのがよい。
【００３３】
図５には、全体が「５００」で示されるグラフにおいて一連の曲線が示される。グラフ５００は、時間を示す横座標軸５５０と信号状態を示す縦座標軸５６０とを有する。４つの曲線ｋ１，ｋ２，ｋ３，ｋ４も、それぞれ「５４０」，「５３０」，「５２０」，「５１０」によって示される。時間間隔ΔＲは、画素アレイ５０のＴＦＴ回路を更新するためのリフレッシュ時間である。曲線ｋ１，ｋ２は、背面照射装置４０の非点滅セグメントを示しており、曲線ｋ１が非点滅セグメントに関連した駆動ユニット１００から背面照射装置４０への駆動電流であり、さらに、曲線ｋ２が非点滅セグメントに関連する画素の光学的透過を示している。曲線ｋ１は、表示ドライバ８０による画素の更新の結果として対応する画素の光学的状態の指数関数的変化が起きる前の非点滅期間の終わりにおいて照射ＯＮ状態から照射ＯＦＦ状態に切り換わる。
【００３４】
曲線ｋ３は、背面照射装置４０の点滅セグメントに関するものであり、曲線５２０は、点滅領域に関連した背面照射装置４０に対する駆動を示しており、ここでは高レベルがＯＮ状態に対応する。このＯＮ状態は、対応する画素が光学的に安定したときに形成されるものである。かかる駆動は、対応する画素を更新する直前の時点まで掛けられるのが好ましい。この時点で曲線ｋ３において点滅を使うことは、ユーザ又は観察者６０から、曲線５２０のＯＮ状態の終わりの後に曲線ｋ４に示されるような光学的活動の指数関数的な減少をマスクすることに大いに貢献する。但し、より重要なのは、この点滅によって、画素アレイ５０のサンプル・ホールド動作の結果として視認可能になる可能性がある動きアーチファクトがマスクされることである。
【００３５】
前述において、視覚的フリッカ効果を減らすように、表示される画像の比較的に不活性な領域に対して、連続的に及び／又は比較的高周波数で（すなわち非点滅で）背面照射をなすとともに、表示されている画像の比較的活発な領域に対してはパルス態様すなわち「点滅」で背面照射がなされるという表示装置を説明している。このようなアプローチによって、観察者又はユーザに対する画像のフリッカが選択的に減らされるとともに、これと同時に、動きが生じている画像の領域は、ＬＣＤ画素のサンプル・ホールド動作による画像の品位低下をより少なくて済むようにユーザ又は観察者により知覚されることになる。このような複合のアプローチは、その関連のＬＣＤよりも高速なレートで変調されることの可能な光学的出力を有する背面照射を必要とする。
【００３６】
前述において説明した本発明の実施例は、添付の請求項により規定されるような本発明の範囲を逸脱することなく変更されることが可能なものある。
【００３７】
オプションとして、分析器９０は、画素アレイ５０の対応する画素が略黒レベル又はダークグレイレベルを呈するように駆動されるときに、背面照射装置４０の選択されたセグメントｓ１ないしｓｎの１つ（又は複数のセグメント）からの光出力を低下させるように選択的に動作可能であり、これにより、ディスプレイ１０により奏される黒レベル表現を改善させることができる。これは、ユーザ又は観察者６０に提示される暗い背景にとっては、背面照射装置４０の関係するセグメントｓ１ないしｓｎのランプは、光を抑制して発生するように動作可能であり、これに対応して、ドライバ８０内で処理される対応のビデオレベルは、対応するアレイの画素を通じた光の透過を増やすように増加させられる。ディスプレイ１０のこうような態様の動作は、ディスプレイ１０の動作の効率性を高めることができ、ディスプレイ１０がポータブルＤＶＤビューワやラップトップコンピュータのような持ち運び型のバッテリ動作機器で使われるときにこうした省電力化は魅力的である。さらに、このような態様の動作は、背面照射装置４０及び関連のドライバ１００内の電力消費が、上質の音響にかかわるノイズの問題を考慮すると冷却ファンは望ましくない機器における冷却のための通気に関するデザイン上の問題を起こしうる数１０ワットに達する可能性があるワイドスクリーンＬＣＤテレビにも関係する。
【００３８】
ディスプレイ１０は、バックライトユニット４０のセグメントｓ１ないしｓｎにかけられる駆動のデューティサイクルが入力信号ｖｉの内容に応じて変化するように改変可能である。オプションとして、このデューティサイクルは、連続的に変化させられる。
【００３９】
ディスプレイ１０は、背面照射装置３０が、ドライバ１００から発生された８つの駆動信号による制御のために８つの領域ｓ１ないしｓｎを形成する８つのグループにおいて互いに結合される１６個のランプを含むように実現されるのが最も好ましい。
【００４０】
なお、上述した実施例は、本発明を限定するものではなく例証するものであり、当業者であれば、添付の請求項の範囲を逸脱することなく数多くの代替えの実施例を構成することができる。請求項において、括弧内に付される参照符号は、その請求項を限定するものと解釈してはならない。「有する」なる動詞の使用及びその活用形の使用は、請求項に記載されたもの以外の要素又はステップの存在を排除するものではない。要素の単数表現は、このような要素の複数の存在を排除するものではない。本発明は、幾つかの個別の要素を有するハードウェアによって、また適切にプログラムされたコンピュータによって実現可能である。幾つかの手段を列挙する装置の請求項では、これら手段のうちの幾つかが同一アイテムのハードウェアによって具現化されるようにしてもよい。或る方策が相互に異なる従属請求項において挙げられているに過ぎない点は、これら方策の組み合わせが活用できないことを示すものではない。
【図面の簡単な説明】
【００４１】
【図１】本発明による背面照射液晶ディスプレイ（ＬＣＤ）の主要部分の概略図。
【図２ａ】図１におけるＬＣＤの背面照射装置の概略図。
【図２ｂ】図１におけるＬＣＤの背面照射装置の概略図。
【図３】図１のＬＣＤの動作において行われる信号処理を示す図。
【図４】図１のＬＣＤに表れる画像の列の局部的動き特性に応じた選択的に変更されるＬＣＤ照射を示す図。
【図５】ＬＣＤの背面照射装置及びＬＣＤの画素に供給される信号を示すタイミング図。
【図１】
2008517318.tif 000003
【図２ａ】
2008517318.tif 000004
【図２ｂ】
2008517318.tif 000005
【図３】
2008517318.tif 000006
【図４】
2008517318.tif 000007
【図５】
2008517318.tif 000008
【国際調査報告】
2008517318.tif 000009
2008517318.tif 000010